(57)【特許請求の範囲】
【請求項１】
携帯端末装置において、
背後にある風景を見通し可能なシースルー状態に設定され得る表示部と、
前記表示部を制御する表示制御部と、
対象情報を近距離無線通信により送信する送信部とを備え、
前記表示制御部は、前記対象情報に対応する画像を前記表示部に表示し、前記表示部における前記画像以外の表示領域を前記シースルー状態に設定し、
前記携帯端末装置は、前記画像を前記表示部に表示し、前記画像以外の表示領域を前記シースルー状態に設定した状態において、前記画像越しに装置本体の背後にある受信側端末を見ることができ、
前記送信部は、前記画像に対する送信操作に基づいて前記対象情報を前記受信側端末に送信する、
ことを特徴とする携帯端末装置。
【請求項２】
請求項１に記載の携帯端末装置において、
ユーザによって示された前記表示部上の位置を検出する位置検出部をさらに備え、
前記送信部は、前記位置検出部により検出された位置にある前記画像に対応する対象情報を送信する、
ことを特徴とする携帯端末装置。
【請求項３】
請求項１または２に記載の携帯端末装置において、
第１ユニットと、
前記第１ユニットが重なる第１位置と前記第１ユニットの横に並ぶ第２位置に移動可能な第２ユニットと、を備え、
前記表示部は、前記シースルー状態に設定される第１表示部と、前記シースルー状態に設定されない第２表示部とを有し、
前記第１表示部は、前記第１ユニットに設定され、
前記第２表示部は、前記第２ユニットに設定される、
ことを特徴とする携帯端末装置。
【請求項４】
請求項３に記載の携帯端末装置において、
前記表示部制御は、
前記第２ユニットが前記第２位置に位置づけられた状態で、前記第１表示部に前記対象情報を表示するとともに、前記第１表示部の前記対象情報以外の表示部を前記シースルー状態に設定する、
ことを特徴とする携帯端末装置。
【請求項５】
請求項３または４に記載の携帯端末装置において、
前記送信部は、前記第２ユニットの背面に設けられる、
ことを特徴とする携帯端末装置。
【請求項６】
請求項３ないし５のいずれか一項に記載の携帯端末装置において、
情報を近距離無線通信により受信する受信部をさらに備え、
前記受信部は、前記第２ユニットの正面に設けられる、
ことを特徴とする携帯端末装置。
【請求項７】
請求項６に記載の携帯端末装置において、
前記表示制御部は、前記受信部が受信した情報に対応付けられた画像を前記第１表示部および前記第２表示部のいずれか一方に表示する、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、近い距離にある情報通信機器との間で互いに情報を送受信する近距離無線通信機能が設けられた携帯端末装置が知られている。この種の携帯端末装置では、送信対象となる情報（対象情報）を送信するための操作形態として、種々の形態が採られ得る。たとえば、対象情報が選択された状態で携帯端末装置が傾けられると、受信側端末が認識され、受信側端末に対象情報が送信される（たとえば、特許文献１）。
【先行技術文献】
【特許文献】
【０００３】
【特許文献１】ＷＯ２００７／０３４７８７号公報
【発明の概要】
【発明が解決しようとする課題】
【０００４】
かかる携帯端末装置では、ただ単に、対象情報の送受信を行うだけでなく、操作形態を工夫することにより、ユーザに面白みを感じさせる得る近距離無線通信を実現することが望まれる。
【０００５】
本発明は、かかる課題に鑑みて為されたものであり、ユーザに面白みを感じさせ得る近距離無線通信が可能な携帯端末装置を提供することを目的とする。
【課題を解決するための手段】
【０００６】
本発明の主たる態様に係る携帯端末装置は、背後にある風景を見通し可能なシースルー状態に設定され得る表示部と、前記表示部を制御する表示制御部と、対象情報を近距離無線通信により送信する送信部とを備える。ここで、前記表示制御部は、前記対象情報に対応する画像を前記表示部に表示し、前記表示部における前記画像以外の表示領域を前記シースルー状態に設定する。前記携帯端末装置は、前記画像を前記表示部に表示し、前記画像以外の表示領域を前記シースルー状態に設定した状態において、前記画像越しに装置本体の背後にある受信側端末を見ることができる。前記送信部は、前記画像に対する送信操作に基づいて前記対象情報を前記受信側端末に送信する。
【０００７】
本態様に係る携帯端末装置によれば、対象情報に対応する画像以外の表示領域がシースルー状態に設定され、このときに、対象情報に対応する画像越しに、送信相手が見える。そして、ユーザは、その状態で、画像に対する送信操作を行うことで、画像越しに見える受信側端末に向かって対象情報を送り出す感覚を得ることができる。これより、ユーザに面白みを感じさせ得る。
【０００８】
また、本態様に係る携帯端末装置によれば、ユーザが、シースルー状態の表示領域を通して、受信側端末を見ることで、携帯端末装置を受信側端末の近傍に円滑に配置することができる。
【０００９】
本発明の携帯端末装置において、ユーザによって示された前記表示部上の位置を検出する位置検出部をさらに備え得る。ここで、前記送信部は、前記位置検出部により検出された位置にある前記画像に対応する対象情報を送信する。
【００１０】
このような構成とすれば、ユーザは、送信する対象情報を自由に選択して、送信するこ
とができる。しかも、ユーザが表示部の表側から画像を示すことにより、表示部の裏側にある受信側端末に対象情報が送信されるので、受信側端末に向かって対象情報を送り出す感覚を一層得られやすい。
【００１１】
本発明の携帯端末装置において、第１ユニットと、前記第１ユニットが重なる第１位置と前記第１ユニットの横に並ぶ第２位置に移動可能な第２ユニットと、を備え得る。ここで、前記表示部は、前記シースルー状態に設定される第１表示部と、前記シースルー状態に設定されない第２表示部とを有し、前記第１表示部は、前記第１ユニットに設定され、前記第２表示部は、前記第２ユニットに設定される。
【００１２】
この場合、前記表示制御部は、前記第２ユニットが前記第２位置に位置づけられた状態で、前記第１表示部に前記画像を表示するとともに、前記第１表示部の前記画像情報以外の表示領域を前記シースルー状態に設定し得る。
【００１３】
このような構成とすれば、第２ユニットが第２位置に位置づけられると、第１ユニットに第２ユニットが重ならない。このため、第１ユニットの第１表示部をシースルー状態に設定すると、シースルー状態の表示領域から第１ユニットの背後にあるものを視認できる。よって、第１ユニットを受信側端末の上にかざすと、シースルー状態の表示領域を通して受信側端末を確認できる。
【００１４】
本発明の携帯端末装置において、前記送信部は、前記第２ユニットの背面に設けられる。
【００１５】
このような構成とすれば、ユーザは、第１ユニットを受信側端末の上に配置して、シースルー状態の表示領域から受信側端末をみれば、第１ユニットの背面の送信部は受信側端末と向かい合う。よって、赤外線通信のような指向性の通信では、第１ユニットの背面から前方にある受信側端末へ通信信号を送信することができる。
【００１６】
本態様に係る携帯端末装置によれば、情報を近距離無線通信により受信する受信部をさらに備え得る。ここで、前記受信部は、前記第２ユニットの正面に設けられる。
【００１７】
このような構成とすれば、第２ユニットの上に受信側端末を配置すると、第２ユニットの正面の受信部は、受信側端末と向かい合う。よって、受信側端末から第２ユニットへ通信信号が発せられると、第２ユニットの受信部で通信信号を受信することができる。
【００１８】
この場合、前記表示制御部は、前記受信部が受信した情報に対応付けられた画像を前記第１表示部および第２表示部のいずれか一方に表示する。
【００１９】
このような構成とすれば、受信した情報に対応付けられた画像が第１表示部または第２表示部に表示されることで、情報を受信できたことがすぐにわかる。
【発明の効果】
【００２０】
以上のとおり、本発明によれば、ユーザに面白みを感じさせ得る近距離無線通信が可能な携帯端末装置を提供することができる。
【００２１】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００２２】
【図１】実施の形態に係る携帯端末装置の全体を示す斜視図である。
【図２】実施の形態に係る携帯端末装置の全体を示す斜視図である。
【図３】実施の形態に係る携帯端末装置を示す断面図である。
【図４】実施の形態に係る携帯端末装置の動作を説明するための斜視図である。
【図５】実施の形態に係る携帯端末装置の回路を示すブロック図である。
【図６】実施の形態に係るメッセージを表示する処理手順を示すフローチャートである。
【図７】実施の形態に係る第１表示面にメッセージを表示する状態を示す図である。
【図８】実施の形態に係る第１表示面にメッセージを表示する状態を示す図である。
【発明を実施するための形態】
【００２３】
以下、図を参照して、本実施の形態に係る携帯端末装置１について説明する。
【００２４】
＜携帯端末装置の構成＞
図１（ａ）は、第１ユニット１０を第２ユニット２０に重ねた状態を示す、携帯端末装置１の正面側を見た斜視図である。図１（ｂ）は、第１ユニット１０と第２ユニット２０とを並べた状態を示す、携帯端末装置１の正面側を見た斜視図である。図２は、第１ユニット１０と第２ユニット２０とを並べた状態を示す、携帯端末装置１の背面側を見た斜視図である。図３（ａ）は、図１（ａ）のＡ−Ａ’線における断面図である。図３（ｂ）は、図１（ａ）のＢ−Ｂ’線における断面図である。なお、本実施形態では、各表示面１６ｂ、２７ｂが配置されている面が各ユニット１０、２０の正面と称し、正面に対向する面が各ユニット１０、２０の背面と称す。
【００２５】
携帯端末装置１は、携帯電話機、ＰＤＡ、携帯ゲーム機など近距離無線通信機能を有する、持ち運び可能なコンピュータである。携帯端末装置１は、第１ユニット１０および第２ユニット２０を備える。
【００２６】
第１ユニット１０は、第２ユニット２０の上に重ねられ、第２ユニット２０に対してスライド可能である。第１ユニット１０は、第１底部１１を備える。
【００２７】
第１底部１１は、長方形状であり、ポリカーボネートやアクリルなどの透明樹脂を材料として射出成型により形成される。第１底部１１には、２つの底貫通孔１１ａが互いに間隔を隔てて設けられる。底貫通孔１１ａは、細長く、第１ユニット１０がスライドする方向に延びる。底貫通孔１１ａには、スライド部１２が嵌められている。
【００２８】
スライド部１２は、細長い部材の本体部分を有する。本体部分は、底貫通孔１１ａに嵌められ、後述する第２蓋部２７より上方に配置される。スライド部１２は、本体部分の中間部に挿入孔１２ａを有し、本体部分の端部に係止部１２ｂを有する。係止部１２ｂは、底貫通孔１１ａおよび後述するガイド孔２７ａを通り、第２蓋部２７の中に突き出る。係止部１２ｂには、貫通孔１２ｃが形成されている。貫通孔１２ｃは、本体部分の上面から係止部１２ｂの側面へ貫いて、第１ユニット１０と第２ユニット２０の中とを連結している。２つのスライド部１２の間で第１底部１１の上に、第１表示部１３が配置されている。
【００２９】
第１表示部１３は、長方形の平板形状であって、たとえば、透明な液晶表示器により構成される。液晶表示器は、液晶パネルを含み、液晶パネルの背後にバックライトが配されていない。液晶パネルは、表示モードがノーマリーホワイトである。液晶パネルは、２枚の透明板（図示せず）の間に透明液晶（図示せず）および透明電極（図示せず）が挟まれて構成される。第１表示部１３の端に電極１３ａが設けられ、第１表示部１３の上に第１入力部１４が重ねられている。
【００３０】
電極１３ａは、透明な液晶表示器と配線１５とを接続する。配線１５には、フレキシブル基板が用いられる。配線１５は、係止部１２ｂの貫通孔１２ｃを通り、第２蓋部２７の中へ抜ける。
【００３１】
第１入力部１４には、ユーザによる接触の存在および位置を検出するタッチセンサなどが用いられる。タッチセンサは、透明な長方形状のシートであり、マトリクス状に２つの透明電極（図示せず）が組み込まれている。第１入力部１４の配線は、第１表示部１３の配線１５と同様に、係止部１２ｂの貫通孔１２ｃを通り、第２蓋部２７の中に導かれる。
【００３２】
第１蓋部１６は、第１入力部１４を覆うように、第１底部１１の上に載せられる。第１蓋部１６は、ポリカーボネートやアクリルなどの透明樹脂を材料として射出成型により形成される。第１蓋部１６には、第１表示面１６ｂが形成される。第１表示面１６ｂは、第１表示部１３を覆い、第１表示部１３および第２表示部２５に重なる範囲に位置する。また、第１蓋部１６には、２つの蓋貫通孔１６ａが設けられる。蓋貫通孔１６ａは、底貫通孔１１ａの上に設けられ、蓋貫通孔１６ａに被覆部１７が嵌められる。
【００３３】
被覆部１７は、不透明な樹脂を材料として射出成型により形成される。被覆部１７は、底貫通孔１１ａの中に納まるスライド部１２を覆う。被覆部１７にはネジ孔１７ａが設けられている。ネジ孔１７ａとスライド部１２の挿入孔１２ａとにビス１８が嵌られることにより、スライド部１２および被覆部１７が縦方向に接続される。
【００３４】
スライド部１２および被覆部１７が接続されることにより、第１蓋部１６と第１底部１１とが固定され、第１ユニット１０が組み立てられる。
【００３５】
第２ユニット２０は、第２底部２１を備える。第２底部２１は、長方形状であり、第１蓋部１６とほぼ同じ大きさである。第２底部２１の中には支持部２１ａが設けられる。支持部２１ａは、細長い突条部であって、第１ユニット１０がスライドする方向に延びる。支持部２１ａの上に、受部２６が配置されている。
【００３６】
受部２６は、底板および側板を有し、第１ユニット１０がスライドする方向に延びる。受部２６は、ガイド孔２７ａの下に配置され、ガイド孔２７ａから突き出た係止部１２ｂに添えられる。
【００３７】
電池２２は、第２底部２１の中に配置され、電池２２の上に基板２３が重ねられている。基板２３の表面にはコネクタ２３ａと、ＣＰＵやメモリなどの電子部品（図示せず）とが配される。コネクタ２３ａおよび電子部品の間が配線（図示せず）で接続される。また、電池２２の横にコネクタ２２ａが設けられている。コネクタ２２ａには、基板２３および電池２２が接続されるとともに、第１表示部１３の配線１５および第１入力部１４の配線が接続される。基板２３の上に、第２表示部２５が積み重ねられる。
【００３８】
第２表示部２５は、たとえば、透明でない液晶表示器で構成される。液晶表示器は、液晶パネル２５ａと、液晶パネル２５ａを照明するための照明部とを有する。液晶パネル２５ａは、２枚の透明板（図示せず）の間に透明液晶（図示せず）および透明電極（図示せず）が挟まれて構成される。照明部は、導光板２５ｂおよび発光部２５ｃを含む。導光板２５ｂは、発光部２５ｃからの光を第２表示部２５に導くように、発光部２５ｃの横で、かつ液晶パネル２５ａの下に配置される。液晶パネル２５ａの上に、第２入力部２４が積み重ねられる。
【００３９】
第２入力部２４は、たとえば、タッチセンサが用いられる。タッチセンサは、透明な長
方形状のシートである。タッチセンサには、マトリクス状に２つの透明電極（図示せず）が組み込まれ、透明電極に配線（図示せず）が接続される。
【００４０】
発光部２５ｃ、液晶パネル２５ａおよび第２入力部２４にはそれぞれ配線（図示せず）が配され、これらの配線は基板２３に接続される。
【００４１】
第２蓋部２７は、第２底部２１に連結されて、第２ユニット２０を形成する。第２蓋部２７の中央には、透明な表示窓が形成されている。表示窓は、第２表示面２７ｂであって、第２表示部２５を覆い、第２表示部２５に重なる範囲に位置する。また、第２蓋部２７には、２つのガイド孔２７ａが互いに間隔を隔てて設けられる。ガイド孔２７ａを通る係止部１２ｂが、ガイド孔２７ａを囲む第２蓋部２７の縁に係止されることにより、第１ユニット１０と第２ユニット２０が連結される。
【００４２】
＜携帯端末装置１の動作＞
図４（ａ）は、第１ユニット１０および第２ユニット２０が重ねられた時の配線１５を示す斜視図である。図４（ｂ）は、第１ユニット１０および第２ユニット２０が並べられた時の配線１５を示す斜視図である。なお、図４（ａ）および図４（ｂ）において、配線１５の様子がわかりやすいように、第１蓋部１６などの一部の部品が破線で表わされている。
【００４３】
図１（ａ）のように、携帯端末装置１が畳まれ、第１ユニット１０が第２ユニット２０に重なった状態では、第１表示面１６ｂが外部に現れ、第２表示面２７ｂが第１ユニット１０の下に隠れる。以下、この携帯端末装置１の状態を閉状態といい、表示形態を第１形態という。
【００４４】
第１形態では、図４（ａ）に示すように、スライド部１２の係止部１２ｂが、ガイド孔２７ａの一方端、即ち、基板２３のコネクタ２３ａの近傍に位置する。配線１５は、係止部１２ｂの貫通孔１２ｃから受部２６に沿って延び、途中で折れ曲がり、受部２６に沿いながら貫通孔１２ｃの方に戻り、コネクタ２３ａに接続される。
【００４５】
一方、図１（ｂ）に示すように、携帯端末装置１が広げられ、第１ユニット１０が第２ユニット２０の側方に引き出されると、第１表示面１６ｂおよび第２表示面２７ｂの両方が外部に現れる。このとき、第１ユニット１０の端部が第２表示面２７ｂの端部にわずかに重なり、第１表示面１６ｂと第２表示面２７ｂが隙間のない状態で横に並ぶ。以下。この携帯端末装置１の状態を開状態といい、表示形態を第２形態という。
【００４６】
第２形態では、図４（ｂ）に示すように、スライド部１２の係止部１２ｂがガイド孔２７ａの一方端から他方端へ移動し、ガイド孔２７ａが開口する。係止部１２ｂが基板２３のコネクタ２３ａの位置から遠ざかり、配線１５は、係止部１２ｂの貫通孔１２ｃから基板２３のコネクタ２３ａへ直線状に延びる。
【００４７】
なお、第１形態と第２形態とに切り替わることで、第２ユニット２０は、第１形態における第１ユニット１０に重なる第１位置と、第２形態における第１ユニット１０の横に並ぶ第２位置とを、移動する。
【００４８】
＜携帯端末装置１の回路＞
図５は、携帯端末装置１の回路のブロック図を示す。
【００４９】
本実施の形態の携帯端末装置１は、上述した各構成要素の他、ＣＰＵ１００、メモリ１０１、通信モジュール１０２、開閉センサ１０３、方位センサ１０４、クロック１０５、
送信部１０６および受信部１０７を備えている。
【００５０】
第１表示部１３および第２表示部２５は、ＣＰＵ１００から映像信号を受ける。これら映像信号に基づいて各表示部１３、２５の透明電極に電圧が加えられることで、液晶の配向が変化し、液晶を通過する光が変調される。これにより、各表示部１３、２５は、アイコンやキーボードなどの図、写真、文字、絵およびウインドウなどの画像を表示する。第１表示部１３により表示された画像は、透明な第１入力部１４を介して第１蓋部１６の第１表示面１６ｂに映し出される。第２表示部２５により表示された画像は、透明な第２入力部２４を介して第２蓋部２７の第２表示面２７ｂに映し出される。ただし、第１形態において、第１表示部１３が透明な状態であれば、第２表示部２５により表示された画像は、透明な第１表示部１３を介して第１表示面１６ｂに映し出される。このため、第１表示面１６ｂには、第１表示部１３による画像または第２表示部２５による画像が表示される。
【００５１】
また、第１表示部１３では、電圧が加えられていない範囲において、透過率が最大となり、光が透過する。ここで、第１表示部１３を挟む第１蓋部１６、第１入力部１４および第１底部１１が透明であるため、第１表示部１３において光が透過する範囲は、透明または半透明になっており、第１表示部１３の背後にある風景を見通し可能なシースルー状態になる。
【００５２】
第２表示部２５の発光部２５ｃには、ＣＰＵ１００からの制御信号により、電池２２からの電力が供給される。これにより、発光部２５ｃが発光する。発光した光は、導光板２５ｂの側面から導光板２５ｂに入射し、導光板２５ｂの内部で反射しながら、光の一部が導光板２５ｂの表面から液晶パネル２５ａ側に出る。これにより、導光板２５ｂの全体から光が均一に発せられ、液晶パネル２５ａへ光が照射される。これにより、第２表示面２７ｂに表示される画像が視認可能になる。なお、第１表示部１３には発光部が設けられていないが、第１表示部１３の液晶パネルは、第１形態では外光により照らされ、第２形態では第２表示部２５からの光により照らされる。これにより、第１表示面１６ｂに表示される画像が視認可能になる。
【００５３】
第１入力部１４は、透明電極間の静電容量の変化を検出する。これによって、ユーザの指などが第１表示面１６ｂにおいて触れた位置において静電容量が変化すると、第１入力部１４は、ユーザの接触位置に応じた信号をＣＰＵ１００に出力する。これにより、ユーザが第１表示面１６ｂに対して示した位置を検出できる。なお、第２形態においては、第１表示部１３により表示される画像が第１表示面１６ｂに映し出されるため、第１入力部１４は、第１表示部１３の画像に対して示された位置を検出する。第１形態において、第１表示面１６ｂに第１表示部１３による画像が表示されている場合には、第１入力部１４は、第１表示部１３による画像に対して示された位置を検出する。一方、第１形態において、第１表示部１３が透明であって、第１表示面１６ｂに第２表示部２５による画像が表示されている場合には、第１入力部１４は、第２表示部２５による画像に対して示された位置を検出する。
【００５４】
第２入力部２４は、第１入力部１４と同様に、ユーザの指などが第２表示面２７ｂにおいて触れた位置に応じた信号をＣＰＵ１００に出力する。これにより、ユーザが第２表示面２７ｂに対して示した位置を検出できる。なお、第１形態および第２形態のどちらにおいても、第２表示面２７ｂには第２表示部２５により表示される画像が映し出されるため、第２入力部２４は、第２表示部２５の画像に対して示された位置を検出する。
【００５５】
電池２２は、ＣＰＵ１００からの制御信号を受けて、制御信号に応じて電力をＣＰＵ１００や各表示部１３、２５および各入力部１４、２４などに供給する。
【００５６】
メモリ１０１は、ＲＯＭおよびＲＡＭを含む記憶部である。メモリ１０１には、ＣＰＵ１００に制御機能を付与するための制御プログラムが記憶されている。たとえば、メモリ１０１には、近距離無線通信の規格に従って、情報を近距離無線通信のための信号に変換する制御プログラムが記憶されている。また、メモリ１０１には、テキスト情報、画像情報および音響情報が所定のファイル形式で記憶されている。たとえば、カメラモジュール（図示せず）で撮影した写真やビデオの画像情報、通信モジュール１０２を介して外部から取り込んだ画像情報およびテキスト情報などのメール情報、氏名や電話番号、メールアドレスなどの連絡先情報などである。さらに、メモリ１０１には、各表示面１６ｂ、２７ｂに表示されているアイコンなどの画像と、アイコンなどが表示されている位置とが対応付けられて記憶されている。
【００５７】
開閉センサ１０３は第１形態において磁石に近接する位置に配置され、磁石は係止部１２ｂの近傍に配置される。開閉センサ１０３は、配線により基板２３に接続され、基板２３のＣＰＵ１００との間で信号を送受信する。第１形態において磁石が開閉センサ１０３の近傍に存在する場合、開閉センサ１０３は、磁石の磁界を検出し、閉である旨の検出信号をＣＰＵ１００に出力する。反対に、第２形態において磁石が開閉センサ１０３から離れている場合、開閉センサ１０３は、磁石の磁界を検出せず、閉である旨の検出信号をＣＰＵ１００に出力しない。
【００５８】
通信モジュール１０２は、ＣＰＵ１００からの音声信号や映像信号、テキスト信号などを無線信号に変換し、アンテナを介して基地局へ送信する。また、通信モジュール１０２は、受信した無線信号を音声信号や映像信号、テキスト信号などに変換してＣＰＵ１００へ出力する。
【００５９】
方位センサ１０４には地磁気センサなどが用いされる。方位センサ１０４は、各表示部１３、２５が向いている方角を検出し、方角に応じた信号をＣＰＵ１００へ出力する。
【００６０】
クロック１０５は、時間を計測し、計測した時間を応じた信号をＣＰＵ１００へ出力する。
【００６１】
送信部１０６は、電磁波を発する発生部（図示せず）および、電磁波を外部へ放つ送信窓１０６ａを有する。送信部１０６は、ＣＰＵ１００からの制御信号を受けて、制御信号に基づいて発生部からの電磁波を変調することで信号を生成し、信号を送信窓１０６ａから放射する。これにより、近距離無線通信によって情報が受信側端末に送られる。なお、近距離無線通信としては、赤外線通信、およびＢｌｕｅｔｏｏｔｈ（登録商標）など、電磁波を利用して近距離に存在する受信側端末と情報を送受信する手法が用いられる。また、送信窓１０６ａは、図２に示すように、第２ユニット２０の背面に設けられる。このため、電磁波は第２ユニット２０の背面の前方へ照射される。この送信窓１０６ａは、第２形態の携帯端末装置１において、第２ユニット２０の背面の中でも、第１ユニット１０に近い位置に設けられる。さらに、送信窓１０６ａは、第１ユニット１０および第２ユニット２０を合わせた範囲の中央または中央に近い位置に設けられる。
【００６２】
受信部１０７は、受信窓１０７ａ、および受信窓１０７ａを通った電磁波を受ける受部（図示せず）を有する。受信部１０７は、変調された電磁波を検出し、電磁波の検出信号を電気信号に変換してＣＰＵ１００へ出力する。これにより、近距離無線通信によって情報が受信側端末から得られる。なお、受信窓１０７ａは、図１（ｂ）に示すように、第２ユニット２０の正面に設けられる。このため、第２ユニット２０の正面の前方から照射される電磁波を検出する。
【００６３】
ＣＰＵ１００は、表示部を制御する表示制御部として、各表示部１３、２５により画像を表示させたり、第１表示部１３をシースルー状態に設定したり、第２表示部２５の照明を点灯したりする。
【００６４】
すなわち、ＣＰＵ１００は、メモリ１０１から読み出したり、通信モジュール１０２を経由して受信したりして、テキスト情報および画像情報を取得する。ＣＰＵ１００は、これらの情報を映像信号として第１表示部１３および第２表示部２５のそれぞれに出力し、各表示面１６ｂ、２７ｂに画像を表示させる。
【００６５】
また、ＣＰＵ１００は、電池２２から第１表示部１３に供給される電力を調整する制御信号を出力することにより、透明電極に加えられる電圧を制御し、第１表示部１３の透過率を変化させる。これにより、ＣＰＵ１００は、第１表示部１３により表示される画像以外の表示領域をシースルー状態に設定する。
【００６６】
さらに、ＣＰＵ１００は、画像を第２表示部２５に表示させる際に、電池２２から発光部２５ｃに電力を供給させ、発光部２５ｃを発光させる。
【００６７】
ＣＰＵ１００は、近距離無線通信の通信規格に従って、情報を近距離無線通信の信号に変換するための制御信号を生成し、送信部１０６へ出力する。また、ＣＰＵ１００は、近距離無線通信の通信規格に従って、受信部１０７から電気信号を受けて、電気信号を情報に変換し、情報をメモリ１０１に格納する。
【００６８】
＜携帯端末装置１の機能＞
図６は、赤外線通信により情報を送信する携帯端末装置１（以下、送信側端末と言う。）の処理手順と、情報を受信する携帯端末装置１（以下、受信側端末と言う。）の処理手順とを示すフローチャートである。図７は、赤外線通信により送信する情報を選択するための画像を第１表示面１６ｂに表示した送信側端末を示す。図８は、送信側端末から受信側端末へ情報を送信した状態を示す。
【００６９】
送信側端末において、第１表示面１６ｂまたは第２表示面２７ｂに操作メニューを表示する。ユーザは、操作メニューの中から赤外線送信のアイコンの位置をタッチすると、赤外線通信により情報を送信する機能が選択されて、赤外線送信機能の制御プログラムが起動する。
【００７０】
まず、ＣＰＵ１００は、送信側端末が第２形態であるか否かを判断する（Ｓ１０１）。ここで、開閉センサ１０３からの閉である旨の検出信号が入力されていれば、ＣＰＵ１００は、送信側端末が閉状態であって、この表示形態が第１形態を採り、第２形態でないと判断する（Ｓ１０１：ＮＯ）。そして、ＣＰＵ１００は、メモリ１０１から所定の警告情報を読み取り、「携帯端末装置を開いてください。」などの警告が第１表示面１６ｂに表示される。警告により、送信側端末が第２形態を採るように、ユーザに促される。
【００７１】
一方、開閉センサ１０３からの閉である旨の検出信号が入力されていなければ、ＣＰＵ１００は、送信側端末が開状態であって、この表示形態が第２形態であると判断する（Ｓ１０１：ＹＥＳ）。このように、送信側端末を第２形態にすることにより、第１ユニット１０の下に何も重なっていないため、第１ユニット１０の透明な範囲から背後の風景を見ることができる状態になる。
【００７２】
次に、図７に示すように、ＣＰＵ１００は、第２表示面２７ｂに送信対象グループの候補を表示する（Ｓ１０３）。送信対象グループは、メモリ１０１に格納されている情報の中で、赤外線通信により送信できる情報を、連絡先、写真およびメールなど、種類毎に分
けたものである。
【００７３】
ＣＰＵ１００は、第２表示面２７ｂの送信対象グループの候補の中から送信対象グループが選択されることを待つ（Ｓ１０４）。この第２表示面２７ｂにおいて、たとえば、「写真」の位置が検出されると、ＣＰＵ１００は、「写真」の送信対象グループが選択されたと判断する（Ｓ１０４：ＹＥＳ）。
【００７４】
続いて、ＣＰＵ１００は、メモリ１０１から写真の画像情報Ａ〜Ｆを読み出し、図８に示すように、写真Ａ〜Ｆの画像を送信対象情報の候補として第１表示面１６ｂに表示する（Ｓ１０５）。このとき、写真Ａ〜Ｆの画像がサムネイルで表示されることにより、画像の中身がわかり易くなる。また、第１表示面１６ｂにおいて、写真Ａ〜Ｆの画像以外の表示領域がシースルー状態に設定される。このため、画像を転送したい相手である受信側端末の上方に送信側端末の第１ユニット１０をかざせば、ユーザは、シースルー状態の表示領域を通して、第１ユニット１０の背後にある受信側端末を視認できる。
【００７５】
ユーザは、第１表示面１６ｂを介して受信側端末を見える位置に送信側端末を配置した状態で、第１表示面１６ｂに表示された写真Ａの画像を所定の動作でタッチする。これにより、ＣＰＵ１００は、タッチした位置にある写真Ａが送信すべき対象情報に選択されたと判断する（Ｓ１０６：ＹＥＳ）。なお、所定の動作としては、たとえば、間を開けずに２度連続して送信対象情報の表示位置をタッチする動作、送信対象情報の表示位置をタッチしながら円などを描く動作である。このような送信対象情報を選択する動作は、他の情報を選択する動作と異なるため、別の情報が誤って送信されることが防がれる。また、図８に示すように、第２表示面２７ｂには送信対象グループの候補が表示されている。
【００７６】
そして、ＣＰＵ１００は、選択された写真Ａの画像に対応する画像Ａの情報をメモリから読み出し、写真Ａの情報を赤外線の信号に変換して、赤外線の信号を送信部１０６から送信する（Ｓ１０７）。これにより、第２ユニット２０の背面に設けられた送信窓１０６ａから、第１ユニット１０の背後にある受信側端末に向かって、赤外線が放たれる。なお、写真Ａの情報には、写真Ａの画像情報に加えて、送信側端末における表示状態を示す付属情報が含まれる。付属情報としては、写真Ａがサムネイル、ファイル名、アイコンなどのいずれの態様で表示されているのかを示す情報、および表示面１６ｂにおける写真Ａの表示サイズの情報、および写真Ａが表示される方位の情報などがある。写真Ａが表示される方位は、方位センサ１０４により検出された表示面１６ｂの方位から求められる。
【００７７】
一方、受信側端末において、第１表示面１６ｂまたは第２表示面２７ｂに操作メニューを表示する。ユーザが、操作メニューの中から赤外線受信のアイコンの位置をタッチすると、赤外線通信により情報を受信する機能が選択されて、赤外線受信機能の制御プログラムが起動する。
【００７８】
ＣＰＵ１００は、クロック１０５からの信号を受けて、経過時間を計測し始める（Ｓ２０１）。
【００７９】
受信部１０７は、第２ユニット２０の正面の前方から照射される赤外線を受信する。この場合、受信側端末の第２ユニット２０の正面は、送信側端末の第２ユニット２０の背面と向かい合っている。このため、送信側端末の第２ユニット２０の背面にある送信部１０６から発せられた赤外線を、受信側端末の第２ユニット２０の正面にある受信部１０７で受ける。
【００８０】
ＣＰＵ１００は、送信側端末から送られてきた情報、今回の例では、写真Ａの情報を受信したか否かを判断する（Ｓ２０２）。ここで、受信部１０７が赤外線を検出すると、Ｃ
ＰＵ１００は、受信部１０７からの赤外線の検出信号を受ける。ＣＰＵ１００は、近距離無線通信の通信規格に従って、受信部１０７からの赤外線の検出信号を写真Ａの情報に変換できると、写真Ａの画像を受信したと判断する（Ｓ２０１：ＹＥＳ）。
【００８１】
ＣＰＵ１００は、取得した写真Ａの情報から画像情報および付属情報を抽出する。ＣＰＵ１００は、画像情報から写真Ａの画像を生成すると共に、付属情報から送信側端末における写真Ａの画像の表示態様、表示サイズおよび表示方向を求める。ＣＰＵ１００は、送信側端末と同様の表示態様、表示サイズおよび表示方向で、写真Ａの画像を受信側端末の表示面１６ｂに表示する（Ｓ２０３）。
【００８２】
一方、受信部１０７が、写真Ａの情報に係る赤外線の信号の一部または全部を受信できずに、ＣＰＵ１００が、赤外線の検出信号から写真Ａの情報に変換できない場合、ＣＰＵ１００は写真Ａの画像を受信しなかったと判断する（Ｓ２０２：ＮＯ）。
【００８３】
ＣＰＵ１００は、計測時間が所定時間を経過したか否かを判断する（Ｓ２０４）。ここで、計測時間が所定時間を経過するまで、ＣＰＵ１００は、写真Ａの画像に関する赤外線信号の全部を受信部１０７が受信したか否かを再び判断する（Ｓ２０２）。一方、計測時間が所定時間を経過したら、メモリ１０１から所定のエラーメッセージ情報を読み出して第２表示面２７ｂに表示する。
【００８４】
以上、本実施形態によれば、第１表示面１６ｂに送信対象情報を表示しながら、送信対象情報以外の表示領域をシースルー状態に設定している。これにより、ユーザは、シースルー状態の表示領域を通して、送信対象情報に対応する画像越しに赤外線通信の送信先である受信側端末を見ることができる。ユーザは、その状態で、画像に対する送信操作を行うことで、画像越しに見える受信側端末に向かって対象情報を送り出す感覚を得ることができる。これより、ユーザに面白みを感じさせ得ることができる。
【００８５】
さらに、本実施形態によれば、写真Ａの情報（送信対象情報）に画像情報および送信側端末における表示情報が含まれている。これにより、受信側端末においても、送信側端末と同様の表示状態で表示面に写真Ａの画像を表示できる。よって、まるで、写真Ａの画像が送信側端末から受信側端末に飛んで行ったかのように見える。よって、近距離無線通信において、ユーザに一層面白みを与えることができる。
【００８６】
また、本実施形態によれば、第２ユニット２０の背面に送信部１０６が設けられ、第２ユニット２０の正面に受信部１０７が設けられる。このため、ユーザが、シースルー状態の表示領域を介して受信側端末を見る位置に送信側端末を配置するだけで、送信部１０６と受信部１０７とが対向する位置に自動的に配置される。これにより、ユーザは、送信部１０６と受信部１０７との位置関係を気にする必要がない。特に、通信ポートの位置がわからないユーザにとっては、送信部１０６や受信部１０７の位置を探し、これらを合わせる手間がなく、送信部１０６と受信部１０７との位置関係を簡単に合わせることができる。
【００８７】
さらに、本実施形態によれば、第１ユニット１０および第２ユニット２０を合わせた範囲の中央または中央に近い位置に送信窓１０６ａを設けている。これで、各表示面１６ｂ、２７ｂに垂直な軸に対して表示面１６ｂ、２７ｂの向きを回転させても、送信窓１０６ａの位置がほとんど変化しない。そこで、携帯端末装置１の向きを自由に変えることができる。
【００８８】
＜その他の実施形態＞
以上、本発明の実施の形態について説明したが、本発明は、上記実施の形態によって何
ら制限されるものではなく、また、本発明の実施の形態も、上記以外に種々の変更が可能である。
【００８９】
上記実施形態によれば、送信部１０６および受信部１０７を第２ユニット２０に設けたが、送信部１０６および受信部１０７を第１ユニット１０に設けることもできる。
【００９０】
また、上記実施形態に受信側端末に送信側と同じ携帯端末装置１を用いたが、パソコンなど近距離通信機能を有するコンピュータを用いることもできる。
【００９１】
さらに、上記実施形態では、送信すべき対象情報をサムネイル形式の画像で表示したが、送信対象情報の表示態様はこれに限らず、送信対象情報に対応する画像であればよい。たとえば、ＣＰＵは、送信対象情報からファイル名を抽出し、ファイル名を示す画像を第１表示部１３に表示することもできる。また、ＣＰＵは、送信対象情報からファイル形式を抽出し、ファイル形式に対応付けられたアイコンを第１表示部１３に表示することもできる。
【００９２】
また、上記実施形態によれば、図８に示すように、送信側端末において、写真Ａの画像がタッチされて送信すべき対象情報として選択されたとき、第２表示面２７ｂには送信対象グループの候補が表示されている。これに対して、第２表示面２７ｂに表示されている内容はこれに限定されない。たとえば、ＣＰＵ１００は写真Ａの画像を第２表示面２７ｂに拡大表示することもできる。さらに、拡大表示された写真Ａの画像と共に、写真Ａの詳細情報を第２表示面２７ｂに表示してもよい。写真Ａの詳細情報には、撮影日時、場所および画像要領などが挙げられる。このように、拡大表示された画像や詳細情報など写真Ａに関する情報が第２表示面２７ｂに表示されることにより、送信しようとしている画像について、ユーザはより具体的に知ることができる。
【００９３】
また、上記実施形態において、写真Ａの情報に画像情報に表示サイズや表示方向などの表示情報を付属したが、これらの情報を付属しなくてもよい。または、表示情報に、送信側端末の位置情報と、送信側端末における写真Ａの画像の表示位置情報とをさらに含めることもできる。この場合、送信側端末の位置情報および受信側端末の位置情報により、送信側端末と受信側端末との相対位置が求められる。この相対位置と、送信側端末における写真Ａの表示位置とから、受信側端末において表示される写真Ａの表示位置を求める。
【００９４】
また、上記実施形態によれば、受信側端末が情報を受信したか否かの通知を送信側端末に送信することもできる。これにより、送信側端末においても情報の送信が成功したか否かがわかる。
【００９５】
この他、本発明の実施の形態は、特許請求の範囲に示された技術的思想の範囲内において、適宜、種々の変更が可能である。
【符号の説明】
【００９６】
１    …  携帯端末装置
１０  …  第１ユニット
１３  …  第１表示部
１４  …  第１入力部
２０  …  第２ユニット
２４  …  第２入力部
２５  …  第２表示部
１００  …  ＣＰＵ
１０６  …  送信部
１０７  …  受信部
【図１】
0005620779.tif 000002
【図２】
0005620779.tif 000003
【図３】
0005620779.tif 000004
【図４】
0005620779.tif 000005
【図５】
0005620779.tif 000006
【図６】
0005620779.tif 000007
【図７】
0005620779.tif 000008
【図８】
0005620779.tif 000009